(57)【要約】【課題】  複数の表示装置が連動してマルチ画像表示を行う際に、ばらつきのない適応処理を行う。【解決手段】  表示対象の原画像は画像分割部１０２で複数の画像に分割され、各分割画像は各プロジェクタ２００に分配出力される。また、ヒストグラム生成部１０４で原画像全体の特徴量として輝度ヒストグラムが算出され、これが各プロジェクタ２００に送信される。各プロジェクタ２００は、受信した輝度ヒストグラムに基づいて、受信した分割画像に対する補正量を決定し、決定した補正量に従い分割画像を補正する。【選択図】  図１
2012027154.tif 000002
【特許請求の範囲】
【請求項１】
複数の画像表示装置が表示対象の原画像の一部を画像処理装置から受信して表示することにより、全体として前記表示対象の原画像を表示するように構成された画像表示システムであって、
前記画像処理装置は、
前記原画像を複数の画像に分割する分割手段と、
前記分割手段により得られた各分割画像を前記複数の画像表示装置に分配して出力する画像出力手段と、
前記原画像の輝度又は彩度に関する特徴量を算出する算出手段と、
前記算出された特徴量を前記複数の画像表示装置の各々に送信する送信手段と、
を有し、
前記複数の画像表示装置はそれぞれ、
前記画像処理装置から受信した前記特徴量に基づいて、前記画像処理装置から受信した分割画像の輝度又は彩度に関する補正量を決定する決定手段と、
前記決定された補正量に従い前記受信した分割画像を補正する補正手段と、
前記補正された分割画像を表示する表示手段と、
を有することを特徴とする画像表示システム。
【請求項２】
複数の画像表示装置が表示対象の原画像の一部を画像処理装置から受信して表示することにより、全体として前記表示対象の原画像を表示するように構成された画像表示システムであって、
前記画像処理装置は、
前記原画像を複数の画像に分割する分割手段と、
前記分割手段により得られた各分割画像を前記複数の画像表示装置に分配して出力する画像出力手段と、
前記原画像の輝度又は彩度に関する特徴量を算出する算出手段と、
前記算出された特徴量に基づいて輝度又は彩度に関する補正量を決定する決定手段と、
前記決定された補正量を前記複数の画像表示装置の各々に送信する送信手段と、
を有し、
前記複数の画像表示装置はそれぞれ、
前記画像処理装置から受信した補正量に従い前記画像処理装置から受信した分割画像を補正する補正手段と、
前記補正された分割画像を表示する表示手段と、
を有することを特徴とする画像表示システム。
【請求項３】
複数の画像表示装置が表示対象の原画像の一部を画像処理装置から受信して表示することにより、全体として前記表示対象の原画像を表示するように構成された画像表示システムであって、
前記画像処理装置は、
前記原画像を複数の画像に分割する分割手段と、
前記分割手段により得られた各分割画像を前記複数の画像表示装置に分配して出力する画像出力手段と、
前記原画像を縮小して縮小画像を得る画像縮小手段と、
前記縮小画像を前記複数の画像表示装置の各々に送信する送信手段と、
を有し、
前記複数の画像表示装置はそれぞれ、
前記画像処理装置から受信した縮小画像の輝度又は彩度に関する特徴量を算出する算出手段と、
前記算出された特徴量に基づいて、前記画像処理装置から受信した分割画像の輝度又は彩度に関する補正量を決定する決定手段と、
前記決定された補正量に従い前記受信した分割画像を補正する補正手段と、
前記補正された分割画像を表示する表示手段と、
を有することを特徴とする画像表示システム。
【請求項４】
複数の画像表示装置が表示対象の原画像の一部を画像処理装置から受信して表示することにより、全体として前記表示対象の原画像を表示するように構成された画像表示システムであって、
前記画像処理装置は、
前記原画像を複数の画像に分割する分割手段と、
前記分割手段により得られた各分割画像を前記複数の画像表示装置に分配して出力する画像出力手段と、
を有し、
前記複数の画像表示装置はそれぞれ、
前記画像処理装置から受信した分割画像の輝度又は彩度に関する特徴量を算出する算出手段と、
前記算出した特徴量を前記画像処理装置に返送する返送手段と、
を有し、
前記画像処理装置は、
前記複数の画像処理装置からそれぞれ受信した特徴量を合成して合成特徴量を得る合成手段と、
前記合成手段により得られた合成特徴量を前記複数の画像表示装置の各々に転送する転送手段と、
を更に有し、
前記複数の画像表示装置はそれぞれ、
前記画像処理装置から受信した合成特徴量に基づいて前記画像処理装置から受信した分割画像の輝度又は彩度に関する補正量を決定する決定手段と、
前記決定された補正量に従い前記受信した分割画像を補正する補正手段と、
前記補正された分割画像を表示する表示手段と、
を更に有することを特徴とする画像表示システム。
【請求項５】
複数の画像表示装置が表示対象の原画像の一部を画像処理装置から受信して表示することにより、全体として前記表示対象の原画像を表示するように構成された画像表示システムであって、
前記画像処理装置は、
前記原画像を複数の画像に分割する分割手段と、
前記分割手段により得られた各分割画像を前記複数の画像表示装置に分配して出力する画像出力手段と、
を有し、
前記複数の画像表示装置はそれぞれ、
前記画像処理装置から受信した分割画像の輝度又は彩度に関する特徴量を算出する算出手段と、
前記算出した特徴量を前記画像処理装置に返送する返送手段と、
を有し、
前記画像処理装置は、
前記複数の画像処理装置からそれぞれ受信した特徴量を合成して合成特徴量を得る合成手段と、
前記合成特徴量に基づいて輝度又は彩度に関する補正量を決定する決定手段と、
前記決定された補正量を前記複数の画像表示装置の各々に転送する転送手段と、
を更に有し、
前記複数の画像表示装置はそれぞれ、
前記画像処理装置から受信した補正量に従い前記画像処理装置から受信した分割画像を補正する補正手段と、
前記補正された分割画像を表示する表示手段と、
を更に有することを特徴とする画像表示システム。
【請求項６】
前記複数の画像表示装置はそれぞれ、予め記憶されている、全画面白の映像の表示時及び全画面黒の映像の表示時の照度を示す照度情報を前記画像処理装置に送信する手段を更に有し、
前記画像処理装置は、
前記複数の画像表示装置からそれぞれ前記照度情報を受信し、全画面白の映像の表示時の照度が最小である当該照度を白基準レベルに決定し、全画面黒の映像の表示時の照度が最大である当該照度を黒基準レベルに決定する手段と、
前記決定された白基準レベル及び黒基準レベルの値を前記複数の画像表示装置の各々に通知する手段と、
を更に有し、
前記複数の画像表示装置はそれぞれ、前記表示手段が画像を表示する際の白基準レベル及び黒基準レベルを、前記通知された白基準レベル及び黒基準レベルの値に設定する手段を更に有する
ことを特徴とする請求項１乃至５のいずれか１項に記載の画像表示システム。
【請求項７】
前記特徴量は、輝度ヒストグラムであることを特徴とする請求項１乃至６のいずれか１項に記載の画像表示システム。
【請求項８】
前記補正量は、ガンマ特性に関する補正量であることを特徴とする請求項１乃至７のいずれか１項に記載の画像表示システム。
【発明の詳細な説明】
【技術分野】
【０００１】
本発明は、画像表示システムに関し、特に、複数の画像表示装置を用いて一つの画像を分割して表示する画像表示システムに関する。
【背景技術】
【０００２】
従来、画像を表示投影する装置として、液晶パネルにより生成された画像をスクリーンに投影するプロジェクタが知られている。このプロジェクタを複数台用いて、一つの画像を大画面で表示する技術がある（例えば特許文献１を参照）。図１３に複数台のプロジェクタを利用して１つの画像を投影する構成の一例を示す。図１３において、１３０１は画像分配器、１３０２〜１３０５はプロジェクタ、１３０６〜１３０９はプロジェクタ１３０２〜１３０５によって投影された投影画像を示している。投影画像１３０６〜１３０９は合わせて一枚の画像を表示しており、複数台のプロジェクタを用いることで１台と比較して高解像度、大画面の画像を投影することが可能となる。
【０００３】
また、プロジェクタやテレビジョン受像機などの画像表示装置において、映像のシーン毎に最適な階調補正処理を実行するダイナミックガンマ補正と称される手法が考案されている（例えば特許文献２参照）。これは、シーン毎の画素の分布度合いや、シーン間の変化度合いに応じて、各シーン画像が見た目に最適化されるように入力データに対する補正処理を行うものである。
【先行技術文献】
【特許文献】
【０００４】
【特許文献１】特開２００５−２８６７７２号公報
【特許文献２】特開平８−３１７２５０号公報
【発明の概要】
【発明が解決しようとする課題】
【０００５】
プロジェクタを１台で利用する場合においては、前述のダイナミックガンマ補正などのシーン適応処理を行うことで、最適な補正を行うことが可能である。しかし、特許文献１のように複数台のプロジェクタを用いて投影する場合、画像全体に対して適切な処理が行うことができない場合があった。これについて図１３及び図１４を用いて説明する。
【０００６】
図１３では、分配器１３０１によって元の画像が分割され、各プロジェクタに入力される。各プロジェクタは自身の投影する画像のみを解析し、ダイナミックガンマ補正などのシーン適応処理を行う。各プロジェクタはシーン適応処理のためにまず、入力画像の輝度ヒストグラムを算出する。輝度ヒストグラムの例を図１４（ａ）、（ｂ）に示す。
【０００７】
図１４（a）はプロジェクタ１３０２が投影する画像１３０６の輝度ヒストグラムの例を示している。図１４（b）はプロジェクタ１３０４が投影する画像１３０９の輝度ヒストグラムの例を示している。プロジェクタ１３０２は、図１４（a）に示す輝度ヒストグラムに基づき、自身のガンマ特性を決定する。例えば、図１４（a）の輝度ヒストグラムの場合、分布は高輝度部分に集中しているため、高輝度部分の階調を出すようなガンマ特性に決定する。このガンマ特性の例を示した図が図１４（ｃ）である。同様に、プロジェクタ１３０４は、図１４（b）に示す輝度ヒストグラムに基づき、自身のガンマ特性を決定する。図１４（ｂ）の輝度ヒストグラムの場合、低輝度に多く分布しているため、低輝度部分の階調を出すようなガンマ特性に決定する。このガンマ特性の例を示した図が図１４（ｄ）である。
【０００８】
このように、各プロジェクタが分配器１３０１から出力された分割後の画像だけを解析してシーン適応処理を行った場合、一つの画像（１３０６〜１３０９）の中でガンマ特性が異なために、異なる補正処理が適用される場合が発生する。そのため、画像全体の階調バランスが不自然になるという問題があった。
【０００９】
本発明はこのような問題に対処するものである。すなわち本発明は、複数台の画像表示装置を用いて１つの画像を表示する場合に、各画像表示装置が表示する画像間で生じる階調バランスの不自然さを低減することを目的とする。
【課題を解決するための手段】
【００１０】
本発明の一側面によれば、複数の画像表示装置が表示対象の原画像の一部を画像処理装置から受信して表示することにより、全体として前記表示対象の原画像を表示するように構成された画像表示システムであって、前記画像処理装置は、前記原画像を複数の画像に分割する分割手段と、前記分割手段により得られた各分割画像を前記複数の画像表示装置に分配して出力する画像出力手段と、前記原画像の輝度又は彩度に関する特徴量を算出する算出手段と、前記算出された特徴量を前記複数の画像表示装置の各々に送信する送信手段とを有し、前記複数の画像表示装置はそれぞれ、前記画像処理装置から受信した前記特徴量に基づいて、前記画像処理装置から受信した分割画像の輝度又は彩度に関する補正量を決定する決定手段と、前記決定された補正量に従い前記受信した分割画像を補正する補正手段と、前記補正された分割画像を表示する表示手段とを有することを特徴とする画像表示システムが提供される。
【発明の効果】
【００１１】
本発明によれば、複数台の画像表示装置を用いて１つの画像を表示する場合に、各画像表示装置が表示する画像間で生じる階調バランスの不自然さを低減することができる。
【図面の簡単な説明】
【００１２】
【図１】実施例１における画像分配器の構成を示すブロック図。
【図２】実施例１におけるプロジェクタの構成を示すブロック図。
【図３】入力画像を４分割する例を説明する図。
【図４】実施例１における白、黒の基準レベルを設定する処理を示すシーケンス図。
【図５】実施例１における白、黒の基準レベルの算出方法を説明する図。
【図６】実施例１におけるガンマ特性の決定について説明する図。
【図７】実施例２における画像分配器の構成を示すブロック図。
【図８】実施例２におけるプロジェクタの構成を示すブロック図。
【図９】実施例３における画像分配器の構成を示すブロック図。
【図１０】実施例３におけるプロジェクタの構成を示すブロック図。
【図１１】実施例３におけるガンマ特性の決定手順を示すシーケンス図。
【図１２】実施例３におけるヒストグラムの合成処理を説明する図。
【図１３】複数台のプロジェクタを利用して１つの画像を投影する構成の一例を示す図。
【図１４】（ａ）は輝度ヒストグラムの例を示す図、（ｂ）はガンマ特性の例を示す図。
【発明を実施するための形態】
【００１３】
以下、図面を参照して本発明の好適な実施形態について詳細に説明する。
【００１４】
（実施例１）
本実施例では、液晶パネルを内蔵した複数の画像表示装置としてのプロジェクタと、各プロジェクタに画像を供給する画像処理装置とを有する画像表示システムについて説明する。
【００１５】
図１に、画像処理装置としての画像分配器１００の構成を示す。画像分配器１００は、表示対象の原画像を複数の画像に分割し、分割された各画像を各プロジェクタに分配して出力するものである。図１において、１０１は、パーソナルコンピュータ（ＰＣ）やＤＶＤプレーヤー、デジタルビデオカメラ等から映像信号を入力する画像入力部である。この画像入力部１０１は、例えばＨＤＭＩ端子等から構成される。１０２は画像分割部、１０３は画像出力部、１０４はヒストグラム生成部、１０５は制御信号を送受信する通信部である。１０６はユーザからの操作を受け付ける操作部、１０７は画像分配器全体を制御する制御部である。また、２００は画像分配器と接続されたプロジェクタを示している。
【００１６】
図２に、プロジェクタ２００の構成を示す。図２において、２０１は画像分配器１００から出力された映像信号を入力する画像入力部、２０２は画像処理部である。画像処理部２０２はガンマ処理部２０３を含む。２０４は投影部であり、液晶パネル、液晶駆動部、光源等を含む。２０５は画像分配器１００との間で制御信号を送受信する通信部、２０６は通信信号を分離し解析する通信信号処理部、２０７はガンマ処理の特性を決定するガンマ特性決定部である。また、２０８はＲＯＭ、２０９はプロジェクタ全体を制御する制御部である。
【００１７】
次に、画像分配器１００およびプロジェクタ２００の動作について説明する。まず、起動時の初期化動作について説明する。初期化時の処理として、画像分配器１００の制御部１０７は画像分割数の設定および、接続されたプロジェクタ間の輝度差を補正する。まず、画像分割数の設定について説明する。操作部１０６はユーザからの画像分割数の設定操作を受け付ける。制御部１０７は画像の分割数の情報を受け付けると分割数情報を画像分割部１０２に設定する。本実施例では、入力画像を４つに分割する場合について説明する。図３は、１つの画像を４つに分割する場合の例を示している。図３において３００は入力画像、３０１〜３０４はそれぞれ分割された一部の画像を示している。操作部１０６がユーザによって画像を４つに分割するとの操作を受け付けると、制御部１０７は図３に示すように４つに画像を分割するよう画像分割部１０２に設定する。
【００１８】
次に、画像分配器１００に接続された４台のプロジェクタ２００の輝度差を補正する処理について図４を用いて説明する。図４は、プロジェクタ２００の輝度差の補正を行う処理を示すシーケンス図である。画像分配器１００及びプロジェクタ２００は各々が備える通信部１０５、２０５で通信を行い、制御部１０７、２０９において以下の制御処理を行う。
【００１９】
Ｓ４０１において、画像分配器１００は接続された各プロジェクタに対して、照度情報を送信するように要求を出す。照度情報とは全画面白の映像の投影時（表示時）および全画面黒の映像の投影時（表示時）の照度（例えばルーメン値で表される数値）情報である。Ｓ４０２では、各プロジェクタ２００（本実施例では４台のプロジェクタ）は自身の持つ照度情報を画像分配器１００に送信する。プロジェクタ２００は、予め製造時に記録された照度情報をＲＯＭ２０８内に記憶しており、この情報を画像分配器１００に送信する。Ｓ４０３では、画像分配器１００が各プロジェクタ２００から受け取った照度情報に基づき白および黒の基準レベルを算出する。
【００２０】
ここで、白および黒の基準レベルの算出方法について図５に基づき説明する。図５は４台のプロジェクタの照度情報を示した図である。図５において、Ｗ１〜Ｗ４はそれぞれ、プロジェクタ１〜４において全画面白の映像を投影した場合の照度を示している。また、Ｂ１〜Ｂ４はそれぞれ、プロジェクタ１〜４において全画面黒の映像を投影した場合の照度を示している。このとき白の基準レベルとして、全画面白の映像を投影した場合の照度が最小であるプロジェクタの照度を決定する。図５の例の場合、全画面白の照度が最も低いのはプロジェクタ１であり、その照度Ｗ１を白基準レベルに決定する。次に黒の基準レベルとして、全画面黒の映像を投影した場合の照度が最大であるプロジェクタの照度を決定する。図５の例の場合、全画面黒の照度が最も高いのはプロジェクタ２であり、その照度Ｂ２を黒基準レベルに決定する。
【００２１】
Ｓ４０４では、上記のように算出した白および黒基準レベルの値を各プロジェクタに通知する。Ｓ４０５では、各プロジェクタは、画像を表示する際の白および黒基準レベルを、通知された白および黒の基準レベルの値に設定する。このように白、黒の基準レベルを各プロジェクタで共有することで、各プロジェクタ間の個体差から生じる照度レベルのばらつきを抑えることができる。
【００２２】
以上、起動時の初期化動作について説明した。次に、画像入力時の動作について説明する。図１の画像分配器１００において、画像入力部１０１は、外部機器から入力画像を受け付ける。本実施例では、この入力画像を表示対象の原画像とする。画像入力部１０１は、その入力画像を画像分割部１０２およびヒストグラム生成部１０４へ出力する。画像分割部１０２は、初期化時に設定された画像分割数に応じて入力画像を分割する。ここでは図３に示したように入力画像３００を４つの画像３０１〜３０４に分割する。そして、分割した４つの画像を画像出力部１０３へ出力する。画像出力部１０３は４台のプロジェクタ２００と接続されており、４台のプロジェクタに対して分割画像３０１〜３０４をそれぞれ送信する。一方、ヒストグラム生成部１０４は入力画像３００全体から輝度ヒストグラムを算出する。この輝度ヒストグラムは原画像全体の特徴量を示すものである。算出した輝度ヒストグラムのデータは通信部１０５へ出力され、通信部１０５は接続された全てのプロジェクタに対して輝度ヒストグラムのデータを送信する。
【００２３】
次に、各プロジェクタ２００の動作について説明する。通信部２０５は画像分配器１００の通信部１０５と通信を行う。通信部２０５は受信した信号を通信信号処理部２０６へ出力する。通信信号処理部２０６では信号の分離、解析を行う。具体的には、通信信号処理部２０６は、画像分配器１００から送信された輝度ヒストグラムのデータを入力信号から分離し、輝度ヒストグラム情報をガンマ特性決定部２０７へ出力する。ガンマ特性決定部２０７は、輝度ヒストグラム情報に基づきガンマ特性に関する補正量を決定する。ガンマ特性の決定について図６を用いて説明する。図６はガンマ特性の例を示す図であり、輝度信号の入出力特性を示している。例えば、入力画像の輝度ヒストグラムから暗いシーンであると判定した場合（低輝度に分布が集中している）、６０１に示すように、黒部分の階調が出るようなガンマ特性に決定する。一方、入力画像のヒストグラムから明るいシーンであると判断した場合（高輝度に分布が集中している）は、６０２に示すように高輝度部分がつぶれずに階調が出るようなガンマ特性に決定する。決定したガンマ特性はガンマ処理部２０３へ出力される。なお、輝度ヒストグラムとガンマ特性の関係は各プロジェクタで共通であり、同じ輝度ヒストグラムを受信したプロジェクタは共通のガンマ特性に決定される。そのため、本実施例では４台のプロジェクタ全てのガンマ特性（補正量）が共通化される。
【００２４】
一方、画像入力部２０１には、画像分配器１００から出力された分割画像の１つが入力され、この入力画像を画像処理部２０２に出力する。画像処理部２０２は入力画像に対して色処理、ノイズ除去処理、輪郭強調処理などの各種画像処理を行う。また、画像処理部２０２におけるガンマ処理部２０３は、ガンマ特性決定部２０７で決定されたガンマ特性の補正、すなわちガンマ補正を行う。画像処理部２０２において処理された画像データは投影部２０４に出力される。投影部２０４は不図示の液晶パネルに画像を形成する。そして、不図示の光源から発せられた光によって、液晶パネル上に形成した画像をスクリーン面に投影する。
【００２５】
以上、本実施例では、入力画像を分割して分配する画像分配器と、画像を投影する複数のプロジェクタから構成される画像表示システムについて説明した。本実施例における画像分配器は、分割前の原画像全体から輝度ヒストグラムを生成し、各プロジェクタに対して、輝度ヒストグラムのデータを送信する。また、各プロジェクタは受信した輝度ヒストグラムのデータに基づきガンマ特性を決定し、ガンマ補正を行った画像を投影する。
【００２６】
これにより、分割前の全画像の特性に応じて、全てのプロジェクタで共通のガンマ特性で処理を行うことができる。その結果、一つの画面内で部分的にガンマが異なり画像全体としての階調バランスが不自然になることを低減することができる。
【００２７】
なお、本実施例では、画像分配器１００において、入力画像の輝度ヒストグラムを生成し、輝度ヒストグラムのデータを各プロジェクタに送信したが、本発明はこれに限定されない。輝度ヒストグラムの代わりに別の画像特徴を示す情報を取得し、その情報に応じてガンマ特性を決定してもよい。例えば、画像全体の明るさ情報などを用いてガンマ特性を決定することも可能である。また、本実施例では各プロジェクタ２００において、輝度ヒストグラムに基づきガンマ特性を決定したが、画像分配器１００において輝度ヒストグラムに基づきガンマ特性を決定し、ガンマ特性を各プロジェクタ２００に送信する構成としてもよい。
【００２８】
また、本実施例では、シーン適応処理の例としてガンマ処理を例に説明したが、画像の特性を解析して適応的に処理する処理であればガンマ処理以外の処理にも適用することが可能である。例えば、色処理、輪郭強調処理、ノイズ除去処理等にも適用することが可能である。色処理の場合は、輝度ヒストグラムの代わりに彩度ヒストグラムを算出し、彩度が高い画像の場合は、高彩度部の色の階調が出る制御を行う。これにより、高彩度部分がつぶれることを防ぐことができる。輪郭強調処理の場合は、周波数特性のヒストグラムを算出し、高周波数成分が多い画像の場合は輪郭強調を強くする制御を行う。これにより、画像の解像感を高めることができる。また、ノイズ除去の場合は、画像フレーム間の差分ヒストグラムを算出し、画像に時間的な動きがあるか解析する。画像に動きがない場合は時間方向にローパスフィルタをかけて、ノイズを除去する。一方、画像に動きがある場合は、時間方向にローパスフィルタをかけると残像が生じるため空間方向にローパスフィルタをかける。画像の動きに適応してノイズ除去を行うことで、ノイズ除去の効果を向上させることが可能である。
【００２９】
上記のように、分割前の全体画像を解析して画像処理特性を決定し、各プロジェクタで共通の画像処理を行う形態であればどのような構成、処理をとっても構わない。
【００３０】
また、本実施例では、初期化の際に複数のプロジェクタの輝度レベルを合わせる例について述べたが、輝度以外に色レベルを合わせていても構わない。色レベルも合わせておくことにより、前述の色の適応処理を行う場合に各プロジェクタの色を揃えることが可能となる。
【００３１】
また、本実施例では、画像分配器１００とプロジェクタ２００が、それぞれ別体の装置である場合を例に説明したが、プロジェクタ２００の内の１台が画像分配器の構成を備えていても構わない。
【００３２】
また、本実施例では、プロジェクタを４台接続し、入力画像データを４つに分割する例について説明したが、本発明はプロジェクタの特定の台数に限定されるものではない。複数のプロジェクタを用いるのであれば何台であっても構わない。
【００３３】
また、本実施例では、画像表示装置としてプロジェクタを用いる例を説明したが、本発明は特定の画像表示装置に限定されるものではない。本発明は、プロジェクタ以外に、テレビジョン受像機、ディスプレイ装置などのあらゆる画像表示装置に適用することができる。
【００３４】
（実施例２）
実施例１では、画像のヒストグラム等の特徴情報を画像分配器で生成し、画像特徴情報を各プロジェクタに送信する例を説明した。本実施例では画像分配器において入力画像を縮小し、ヒストグラムの代わりに縮小画像を各プロジェクタに送信する例を説明する。
【００３５】
図７は本実施例における画像分配器１００の構成を示すブロック図、図８は本実施例におけるプロジェクタ２００の構成を示すブロック図である。図１、図２と共通の構成要素には同じ参照番号を付しそれらの説明は省略する。図７の画像分配器１００は、実施例１（図１）の画像分配器と比較すると、ヒストグラム生成部１０４の代わりに画像縮小部７０１を備えている点が異なる。また、図８のプロジェクタは、実施例１（図２）のプロジェクタと比較すると、ヒストグラム生成部８０１を備えている点が異なる。
【００３６】
次に上記構成の画像表示システムの動作について説明する。画像分配器１００および接続されたプロジェクタ２００における初期化動作は実施例１と同様であるため説明は省略する。また、図７の画像分配器１００が入力画像データを分割してプロジェクタ２００に出力する動作も実施例１と同様であるため説明を省略する。
【００３７】
本実施例では画像入力部１０１に入力された入力画像データは画像縮小部７０１に出力される。画像縮小部７０１では、入力画像を例えば１／１０のサイズに縮小する。縮小画像は通信部１０５へ出力され、通信部１０５は縮小画像を各プロジェクタ２００へ送信する。
【００３８】
図８に示すプロジェクタ２００において、入力画像に対して画像処理を行い、画像処理した画像を不図示のスクリーンに投影する動作は実施例１と同様であるため説明は省略する。本実施例では、通信部２０５が画像分配器１００から縮小画像を含む信号を受信し、通信信号処理部２０６へ出力する。通信信号処理部２０６は受信した信号から縮小画像を分離しヒストグラム生成部８０１へ出力する。ヒストグラム生成部８０１は縮小画像から輝度ヒストグラムを生成し、ガンマ特性決定部２０７へ出力する。ガンマ特性決定部２０７は実施例１と同様に輝度ヒストグラムに基づきガンマ特性を決定し、ガンマ処理部２０３へガンマ特性を出力する。
【００３９】
以上、説明したように、本実施例の画像表示システムでは画像分配器１００が分割前の入力画像を縮小し、各プロジェクタ２００へ出力する。各プロジェクタは縮小画像から輝度ヒストグラムを生成し、生成した輝度ヒストグラムに基づきガンマ特性を決定する。これにより、各プロジェクタは自身に入力された分割画像だけでなく、全体の画像特性に合わせたシーン適応処理を行うことが可能となる。また、分割前の入力画像を縮小してから各プロジェクタに送信するため、入力画像全体を各プロジェクタに送信する場合と比較して、少ない情報量での通信が可能となる。
【００４０】
なお、上記実施例では、縮小した画像をプロジェクタ２００に送信していたが、入力画像の情報量を減らしたものであればどのような情報に変形しても構わない。例えば入力画像の階調数を低下させた画像をプロジェクタに送信する構成をとることも可能である。
【００４１】
また、本実施例では、画像表示装置としてプロジェクタを例に説明したが、画像表示装置であればどのようなものであっても適用することができる。例えば、テレビジョン受像機などに適用してもよい。
【００４２】
（実施例３）
本実施例では各プロジェクタが分割画像に基づきヒストグラムを生成し、画像分配器がヒストグラムを集計してガンマ特性を決定する例について説明する。図９は本実施例における画像分配器１００の構成を示すブロック図、図１０は本実施例におけるプロジェクタ２００の構成を示すブロック図である。図１、図２と共通の構成要素には同じ参照番号を付しそれらの説明は省略する。図９の画像分配器１００は、実施例１（図１）の画像分配器と比較すると、ヒストグラム生成部１０４の代わりにヒストグラム集計部９０１を備えている点が異なる。また、図１０のプロジェクタは、実施例１（図２）のプロジェクタと比較すると、ヒストグラム生成部１００１を備えている点が異なる。
【００４３】
次に上記構成の画像表示システムの動作について説明する。画像分配器１００および接続されたプロジェクタ２００における初期化動作は実施例１と同様であるため説明は省略する。また、図９の画像分配器１００が入力画像データを分割してプロジェクタ２００に出力する動作も実施例１と同様であるため説明を省略する。また、図１０のプロジェクタ２００において、入力画像に対して画像処理を行い、画像処理した画像を不図示のスクリーンに投影する動作も実施例１と同様であるため説明は省略する。
【００４４】
本実施例は、ガンマ処理部２０３に設定するガンマ特性の決定方法が実施例１と異なっている。以下、本実施例におけるガンマ特性の設定処理を図１１のシーケンス図を参照して説明する。図１１において、Ｓ１１０１では前述のように、画像分割部１０２で分割された画像が画像出力部１０３を介して各プロジェクタ２００に出力される。Ｓ１１０２では、プロジェクタ２００は入力された分割画像から輝度ヒストグラムを生成する。具体的には、画像分配器１００からの分割画像データがプロジェクタ２００のヒストグラム生成部１００１に入力される。ヒストグラム生成部１００１は分割画像（例えば図３の３０１）から輝度ヒストグラムを生成する。Ｓ１１０３では、生成した輝度ヒストグラムを通信部２０５から画像分配器１００に返送する。
【００４５】
Ｓ１１０４では、画像分配器１００のヒストグラム集計部９０１がヒストグラムデータを集計する。ここでは、接続されている４台のプロジェクタのそれぞれから送信された輝度ヒストグラムデータが、通信部１０５を介してヒストグラム集計部９０１に入力される。ヒストグラム集計部９０１は入力した全てのヒストグラムの度数を合成し一つのヒストグラムデータにする。これについて図１２を用いて説明する。図１２のヒストグラム（ａ）〜（ｄ）はそれぞれ、各分割画像のヒストグラムであり、（ｅ）は４つのヒストグラムの度数を全て足して得た合成特徴量としてのヒストグラムである。これは、画像分配器１００に入力された入力画像のヒストグラムと等価である。
【００４６】
Ｓ１１０５では、ヒストグラム集計部９０１は、集計したヒストグラム情報を、画像出力部１０３を介して各プロジェクタ２００へ転送する。Ｓ１１０６では、各プロジェクタ２００のガンマ特性決定部２０７が集計後のヒストグラムに基づきガンマ特性を決定する。具体的には、通信部２０５を介して受信した集計後のヒストグラム（図１２（ｅ））がガンマ特性決定部２０７に入力され、ガンマ特性決定部２０７はガンマ特性を決定する。ガンマ特性の決定方法に関しては、実施例１のガンマ特性決定部２０７の処理と同様である。そして、Ｓ１１０７で、決定したガンマ特性をガンマ処理部２０３に設定する。以上がガンマ特性設定処理の手順である。ガンマ処理部２０３は、この手順により設定されたガンマ特性に基づきガンマ処理を行い、投影部２０４で画像投影を行う。
【００４７】
以上、説明したように、本実施例の画像表示システムでは各プロジェクタが分割画像のヒストグラムを生成し、画像分配器１００に出力する。画像分配器１００は分割画像のヒストグラムを集計する。そして集計したヒストグラムをプロジェクタ２００に送信し、プロジェクタ２００は取得したヒストグラムに基づきガンマ特性を決定する。
【００４８】
このように、ヒストグラムの生成処理を各プロジェクタ側で行うことで、画像分配器が高解像度の画像を解析する負荷を減らすことが可能となる。また、各プロジェクタが共通のシーン適応処理を行うことができ、画像間のバランスの不自然さを低減できる点は実施例１、２と同様である。
【００４９】
なお、本実施例ではプロジェクタ２００においてガンマ特性を決定する例について説明したが、ガンマ特性は画像分配器１００で決める構成であっても構わない。この場合、プロジェクタ２００のガンマ特性決定部２０７がなくなり、代わりに画像分配器１００にガンマ特性決定部を設ける。画像分配器１００ではヒストグラム集計部９０１で集計した輝度ヒストグラムをガンマ特性決定部に入力しガンマ特性を決定する。そして、決定したガンマ特性情報を通信部１０５からプロジェクタ２００に出力する。プロジェクタ２００は通信部２０５で受信した、ガンマ特性情報をガンマ処理部２０３に設定する。このような構成にすることで、プロジェクタ２００がガンマ特性を決定する必要がなくなり、ガンマ特性決定に要する処理負荷を低減することが可能である。
【００５０】
また、本実施例では、各プロジェクタ２００が輝度ヒストグラムのデータを画像分配器１００に送信する例について説明したが、ヒストグラム情報だけでなくプロジェクタに入力された分割画像の特徴を示す情報であればどのような情報であっても構わない。例えば、分割画像の平均輝度や輝度の最大値、最小値などの情報を算出し、画像分配器１００に送信してもよい。この場合、画像分配器１００のヒストグラム集計部９０１では、各プロジェクタから送信された情報（この場合４台分の平均輝度、輝度の最大値、最小値）から、さらに平均輝度、輝度の最大値、最小値を算出する。そして、それらの情報に基づきガンマ特性決定部２０７でガンマ特性を決定する。ガンマ特性の決定方法としては、例えば、輝度の最大値が高い場合は、高輝度の諧調性が高くなるようなガンマ特性に決定する。これにより、ヒストグラム情報を通信する場合と比較して情報量を少なくすることが可能である。
【００５１】
また、本実施例では、画像表示装置としてプロジェクタを例に説明したが、画像表示装置であればどのようなものであっても適用することができる。例えば、テレビジョン受像機などに適用してもよい。
【００５２】
また、実施例１から３を適宜組み合わせて使用しても良い。
【００５３】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
2012027154.tif 000003
【図２】
2012027154.tif 000004
【図３】
2012027154.tif 000005
【図４】
2012027154.tif 000006
【図５】
2012027154.tif 000007
【図６】
2012027154.tif 000008
【図７】
2012027154.tif 000009
【図８】
2012027154.tif 000010
【図９】
2012027154.tif 000011
【図１０】
2012027154.tif 000012
【図１１】
2012027154.tif 000013
【図１２】
2012027154.tif 000014
【図１３】
2012027154.tif 000015
【図１４】
2012027154.tif 000016